(57)【要約】【課題】ルアーを生きた魚に似せてリアルに再現でき、特に、逆針を引っ掛ける箇所が尾ビレとなるためにルアーの姿勢が自然の魚に近似し、また、尾ビレに逆針を野魚が掛かる勢いで確実に取れる程度に引っ掛けやすくなる針保持装置付きルアー及びそれを用いた友釣用仕掛けを提供する。【解決手段】硬質プラスチックでおとりの魚に似せるとともにその尾ビレが欠除して成形されたルアー本体と、ルアー本体の後端に着脱可能に取り付けられる軟質プラスチックの尾部片とからなり、ルアー本体には尾部に上面および後端面に開口するとともに、後方へ抜けない蟻溝形を有し且つ下方へ抜けない底部を有する接続用切欠を幅中央に沿って設け、尾部片は、尾ビレに該接続用切欠に結合する取付部を一体に成形するとともに、尾ビレの少なくとも下端縁に沿って針刺し可能な縁薄膜を突設してなり、ルアー本体に対して尾部片が着脱可能であることを特徴とする。【選択図】    図１
2010022306.tif 000002
【特許請求の範囲】
【請求項１】
硬質プラスチックでおとりの魚に似せるとともにその尾ビレが欠除して成形されたルアー本体と、ルアー本体の後端に着脱可能に取り付けられる軟質プラスチックの尾部片とからなり、ルアー本体には尾部に上面および後端面に開口するとともに、後方へ抜けない蟻溝形を有し且つ下方へ抜けない底部を有する接続用切欠を幅中央に沿って設け、尾部片は、尾ビレに該接続用切欠に結合する取付部を一体に成形するとともに、尾ビレの少なくとも下端縁に沿って針刺し可能な縁薄膜を突設してなり、ルアー本体に対して尾部片が着脱可能であることを特徴とする針保持装置付きルアー。
【請求項２】
前記針保持装置付きルアーにおいて、鼻先に道糸が接続される鼻環がぐらつく程度に掛かる大径の鼻穴を横に貫通して設けてあって、その鼻環に接続した仕掛け糸の先に野鮎を引っ掛ける掛け針を取り付け、その近くに尾ビレの前記縁薄膜に差し付ける逆針を取り付けてなる友釣用仕掛け。
【請求項３】
ルアー本体が二枚割り片を合体して組み立てられ、両割り片の合体面に鼻穴の内周面に沿って凹欠部を設け、両凹欠部の合体する環状凹所にリングを嵌め込むことにより、環状凹所の二つ割り縁のバリをそのリングで封じてなることを特徴とする請求項２記載の友釣り用仕掛け。
【発明の詳細な説明】
【技術分野】
【０００１】
この発明は、鮎等の友釣のおとり用疑似魚または疑似餌としてのルアーにおいて、魚を引っ掛ける掛け針を釣りやすい位置に保持するようにした針保持装置付きルアー及びそれを用いた友釣用仕掛けに関する。
【背景技術】
【０００２】
鮎の友釣は、普通には予め捕獲していた生きている鮎を鼻環で掛けて道糸に取り付け、釣り竿で操作しながら河川に泳がせることにより、鮎の縄張り本能と闘争本能とを刺激して攻撃させ、そのおとり鮎に仕掛けてある掛け針に引っ掛かったタイミングをとらえる釣り方であるが、おとり鮎に似せてルアーを用いることがある。
【０００３】
友釣り用の疑似としてのこの種のルアーでは、従来一般的には、魚に似せたルアーの鼻先に、竿で直接操作する道糸を結び止めるリング状のアイが突設され、アイに掛け針の付いた仕掛け糸が連結されるが、このままでは掛け針の行方が定まらなく、ルアーに絡む等して釣果に影響するため、仕掛け糸の中途に逆さ針を取り付け、それを尻近くの下腹部のヒレ根本等に仮止めする仕掛けが設けられる。
【０００４】
図５は、本願の出願人において先に提案した針保持装置付きルアーＲａ及びそれを用いた友釣用仕掛けを示すもので（特許文献１）、ルアーは鮎に似せてプラスチックにより成形され、鼻先に道糸５２が結び止められるアイ５０が突設され、尻部近くの腹部に凹部５２を設けてある。仕掛け糸５４は、道糸５２と共にアイ５０に結ばれ、掛け針５６の行動範囲を規制するために、その中途の逆さ針５８が凹部５２の箇所で掛かるようにするためにそこにチューブ６０を二つ折りにして嵌め込んでいた。
【特許文献１】特開２００４−３３７０７６号公報
【発明の開示】
【発明が解決しようとする課題】
【０００５】
上記のような従来の針保持装置付きルアー及びそれを用いた友釣用仕掛けによれば、まず、道糸を結び止めるアイについては、一般のルアーと同様に鼻先にインサート成形等で固定されており、これでは釣り竿の操作が直接的にルアーに及ぶために、ルアーの動作に生きた鮎のような動作がリアルに出にくく、この点で改善の余地があった。
【０００６】
また、逆さ針の仮止め装置については、逆さ針をチューブの二つ折りの間に差し込んでおけば、その弾力により挟まって抜けないために、掛け針の振れが逆さ針を中心に野鮎が近づきやすい範囲に規制され、次いで掛け針に鮎が掛かるとその勢いにより逆さ針がチューブから抜けることにより、鮎が逃げないよう行動に自由を与えることになる。しかし、凹部とチューブがルアーを魚に似せる支障となり水の抵抗も受けやすいし、生きたおとり鮎とは違って、掛け針に受ける水の抵抗が腹部に掛かる関係で、ルアーが反転するなど不自然な姿勢となりやすかった。
【０００７】
この発明は、上記のような実情に鑑みて、ルアーを生きた魚に似せてリアルに再現でき、特に、逆針を引っ掛ける箇所が尾ビレとなるためにルアーの姿勢が自然の魚に近似し、また、尾ビレに逆針を野魚が掛かる勢いで確実に取れる程度に引っ掛けやすくなる針保持装置付きルアー及びそれを用いた友釣用仕掛けを提供することを課題とした。
【課題を解決するための手段】
【０００８】
上記の課題を解決するために、この発明は、硬質プラスチックでおとりの魚に似せるとともにその尾ビレが欠除して成形されたルアー本体と、ルアー本体の後端に着脱可能に取り付けられる軟質プラスチックの尾部片とからなり、ルアー本体には尾部に上面および後端面に開口するとともに、後方へ抜けない蟻溝形を有し且つ下方へ抜けない底部を有する接続用切欠を幅中央に沿って設け、尾部片は、尾ビレに該接続用切欠に結合する取付部を一体に成形するとともに、尾ビレの少なくとも下端縁に沿って針刺し可能な縁薄膜を突設してなり、ルアー本体に対して尾部片が着脱可能であることを特徴とする針保持装置付きルアーを提供するとともに、その針保持装置付きルアーにおいて、鼻先に道糸が接続される鼻環がぐらつく程度に掛かる大径の鼻穴を横に貫通して設けてあって、その鼻環に接続した仕掛け糸の先に野鮎を引っ掛ける掛け針を取り付け、その近くに尾ビレの前記縁薄膜に差し付ける逆針を取り付けてなる友釣用仕掛けを提供するものである。
【０００９】
上記の構成によれば、所謂ばか孔と称されるような大径の鼻穴に鼻環を通されるので、竿で道糸を操るときにそれが緩和されてルアーに及ぶために、ルアーが自然な動きとなる。また、軟質プラスチックからなる尾ビレを有するために、野魚に限りなく近似したルアーとして提供できる。しかも、掛け針が受ける水の抵抗は尾ビレを後方へ引くことになるので、（特に重りや浮き部等が内蔵されていると）道糸の引きによりルアーが野魚の泳ぐときの自然な姿勢を保持する。
【００１０】
仕掛けはこの尾ビレに有する縁薄膜に逆針を引っ掛けるので、刺し箇所を調整して適切に引っ掛けやすいことはもちろん、掛かった魚の勢いでその部分が裂けることによりタイミング良く確実に外れ、しかも、多用により裂け目が多くなれば接着剤で修復しやすく、また、取り外して新しい尾ビレに変えることもできる。
【発明の効果】
【００１１】
以上説明したように、この発明によれば、ルアーを生きた魚に似せてリアルに再現でき、特に、逆針を引っ掛ける箇所が尾ビレとなるためにルアーの姿勢が水流に平行に自然の魚に近似する。しかも、尾ビレに逆針を野魚が掛かる勢いで確実に外れる程度に引っ掛けやすくなるので、野魚の注意を惹きやすいとともに逃さないようタイミング良く束縛を解くことから、釣果を格段に上げることができ、また、硬質の逆針でも折らすことなく容易に刺し付けることができ、尾ビレの縁薄膜の修復をしやすく、尾ビレの取り替えも可能であるので、ルアー及び仕掛けを永続して都合良く使用することもできる。
【発明を実施するための最良の形態】
【００１２】
図１ないし図４は、この発明の一実施の形態を示したもので、その針保持装置付きルアーＲは、硬質プラスチックのルアー本体１と、それに組み付ける軟質プラスチックの尾部片３とからなり（図１，２）、このルアー本体１に友釣用仕掛けＳが装着され、尾部片３に有する縁薄膜４に友釣用仕掛けＳの逆針６を引っ掛けた状態で友釣りに臨まれる（図３，図４）。
【００１３】
ルアー本体１は、硬質プラスチックで鮎に似せて成形されるが、先端に鼻穴５が横に貫通して形成され、また、後端には別に尾部片３を取り付けるために、そこでは尾ビレが欠除されて接続用切欠７が設けられる。接続用切欠７は、後端部の幅中央に沿って上面と後面にスリット状に開口して形成され、したがって、スリットには底部９を有するが、その後端では尾部片３を上下全体で挟むよう底抜け１１が形成される。
【００１４】
接続用切欠７は、上記のように尾部片３の取付部１３を両側内面で挟むとともに底部９で受ける形状であるが、後方へ抜けないようにするために、奥端に近い箇所の両側内面に縦の突条１５，１５を形成することにより蟻溝形の内部構造となっている。つまり奥端の広い軸部受け１７とそれを狭く後ろへ開口させる両突条１５，１５により尾部片３の軸部２１が後方へ抜けない蟻溝形となっている。
【００１５】
尾部片３は、接続用切欠７に組み込まれる前記取付部１３の後端に本体ともいうべき尾ビレ１９を突設するとともに、尾ビレ１９の下端に極薄い縁薄膜４が厚み幅中央に沿って突設され、全体が軟質のプラスチックにより一体成形される。そして、取付部１３には接続用切欠７の内部の突条１５，１５に嵌まる凹部２０，２０が形成されることにより、基端には軸部受け１７へ落とし込まれる軸部２１が形成され、軸部２１の上端にはルアー本体１の上面より突出する摘み２１ａが突設される。
【００１６】
尾部片３の取付部１３は、さらに工夫され、弾性により接続用切欠７と結合強度が得られるように、尾ビレ１９の基端部両側面にルアー本体１の後端面に当たる突部２３，２３を突設し、図２に示すように、ルアー本体１の軸部受け１７から後端面までの寸法をＬａとすれば、尾部片３については、軸部２１から突部２３，２３までの寸法Ｌｂを、Ｌａよりも僅かの差αにおいて小さく形成される。
【００１７】
そこで、尾部片３を取り付けるときに、Ｌｂの長さをα以上に伸ばしつつ（取付部１３を図示ではＰ方向へ移動するようにしながら）、接続用切欠７に上から嵌め込むので、取り付けた状態においては、その収縮力の摩擦により接続用切欠７の内部で取付部１３が固定するから、上にも容易には抜けることはなくなる。しかし、外れを確実に防止するために、ルアー本体１の尾部と尾部片３の取付部１３とに止めピン２５の通し孔２７，２８が形成され、ピン止め可能にしてある。そこで、尾部片３を取り外すときには、止めピン２５を外してから、ルアー本体１の尾部の上に突き出ている摘み２１ａを爪先等で摘んで引き抜くことにより容易に取り外し操作をなすこともできる。
【００１８】
友釣用仕掛けＳは、ルアー本体１に形成される鼻穴５に通す鼻環２９に仕掛け糸３１を取り付け、その反対の先端に掛け針３３を取り付け、その近くに逆針６が取り付けられる。従来との大きな違いとして、生きたおとり鮎用の鼻環２９を用い、それを通す鼻穴５が余裕のある大きな孔径に形成されているので、道糸３５を引いたときにルアーＲの操作が自由になる手応えが得られる。また、逆針６が尾部片３に有する縁薄膜４に差し付けられることであって（図３参照）、この状態では掛け針３３の行動範囲が縁薄膜４に掛かる逆針６を中心に限定されるが、野鮎Ｆが掛け針３３に掛かると（図４）、その勢いで逆針６が縁薄膜４から切り取られ、逆針６からの束縛が解かれるために、野鮎Ｆは仕掛けから逃れることができなくなる。図４において縁薄膜４には逆針６が外れた箇所に裂け目３６ができている。
【００１９】
なお、鼻環２９は、生きた鮎をおとりとして使う場合にその鼻先に差し付けて使用され得るもので、弾性線材３７をＵ字形に折り曲げてなり、その一端部に軟質プラスチックのチューブ３９を差し込んで取り付け、チューブ３９の先端部が線材のＵ字形の開口を閉じており、チューブの弾力性で開き可能となっている。
【００２０】
ルアー本体１は、プラスチックで縦に二つ割りに成形した二枚割り片１ａ，１ａを合体し接着してある。これは従来からの作り方ではあるが、こうすると、鼻穴５の二つ割り合体面の開口縁にバリが生じることになって、バリが鼻環２９を通す障害になるという問題を生じた。
【００２１】
図５および図６は、一対のリング４３，４４を有するダルマピン４１を挿入することにより、この問題を解決したもので、両方の割り片１ａ，１ａの合体面にダルマピン４１が半々に落ち込む凹欠部４５，４５を設け、鼻穴５の内周面では一方のリング４３が内周に沿って掛かるようにその凹欠部４５，４５を形成してある。
【００２２】
従って、両割り片１ａ、１ａには凹欠部４５，４５に沿ってバリ４７，４７が発生するが、鼻穴５の内部では両凹欠部４５，４５が合体する環状凹所４６にリング４３が嵌まってそのリング４３により、バリ４７，４７が封じられていることから、こうして鼻環２９を通すときそれが支える障害を除去することができた。
【図面の簡単な説明】
【００２３】
【図１】この発明の一実施形態を示す針保持装置付きルアー及びそれを用いた友釣用仕掛けの分解斜視図である。
【図２】同図における後端部を一部接切欠して見た側面図である。
【図３】同針保持装置付きルアー及び友釣用仕掛けの水中使用状態を示す説明図である。
【図４】同針保持装置付きルアー及び友釣用仕掛けの水中使用状態を野鮎が掛かったときで示す説明図である。
【図５】鼻穴の内部構造の一実施形態を示すルアーの側面図である。
【図６】図５のＡ−Ａ線矢視の拡大断面図である。
【図７】従来例の説明図である。
【符号の説明】
【００２４】
Ｒ  ルアー
Ｓ  友釣用仕掛け
Ｆ  野鮎
１  ルアー本体
１ａ  割り片
３  尾部片
４  縁薄膜
５  鼻穴
６  （針刺し可能な）逆針
７  接続用切欠
１３  取付部
１５，１５  蟻溝形を形成するための突条
１９  尾ビレ
２９  鼻環
３１  仕掛け糸
３３  掛け針
３５  道糸  
４３  リング
４５  凹欠部
４６  環状凹所
４７  バリ
【図１】
2010022306.tif 000003
【図２】
2010022306.tif 000004
【図３】
2010022306.tif 000005
【図４】
2010022306.tif 000006
【図５】
2010022306.tif 000007
【図６】
2010022306.tif 000008
【図７】
2010022306.tif 000009